(57)【特許請求の範囲】
【請求項１】
携帯機器と、
画像形成装置と、
サーバーと
を備え、
前記携帯機器は、
操作部および表示部と、
前記サーバーへの利用者のログインを実行するログイン手段と、
前記画像形成装置を操作するための操作画面を前記表示部に表示する操作画面表示手段と、
前記画像形成装置が単独で実行可能な機能以外の機能であって前記画像形成装置を利用して実行する特定の機能を実行可能な機能実行手段と
を備え、
前記サーバーは、前記画像形成装置に前記特定の機能を実行させるための特定機能実行ボタンを含む前記操作画面としての特定機能実行用操作画面を利用者毎に管理するとともに、前記特定機能実行ボタンに関連付けて前記特定の機能の設定値を管理し、
前記ログイン手段は、前記サーバーへの利用者のログインの処理を前記画像形成装置に指示し、
前記画像形成装置は、前記ログイン手段によって指示されたログインの処理を前記サーバーに依頼し、
前記サーバーは、前記画像形成装置によって依頼されたログインの処理の結果を前記画像形成装置に返信し、
前記操作画面表示手段は、前記ログイン手段によって実行されたログインが成功した利用者に対して前記サーバーによって管理されている前記特定機能実行用操作画面を前記表示部に表示し、
前記機能実行手段は、前記表示部に表示された前記特定機能実行用操作画面の操作部分としての前記特定機能実行ボタンが前記操作部を介して押されると、ログインの処理を前記サーバーに依頼し、ログインの成功が前記サーバーから返信されると、前記特定機能実行ボタンに関連付けて前記サーバーによって管理されている前記設定値を前記サーバーに要求し、前記ログイン手段によって実行されたログインの処理の結果が前記サーバーから返信された前記画像形成装置に、前記サーバーから取得した前記設定値で前記特定の機能を実行させることを特徴とする画像形成システム。
【請求項２】
前記特定の機能は、前記画像形成装置におけるコピー機能を含み、
前記機能実行手段は、前記コピー機能用の前記特定機能実行ボタンとしてのコピーボタンが前記操作部を介して押されると、ログインの処理を前記サーバーに依頼し、ログインの成功が前記サーバーから返信されると、前記コピーボタンに関連付けて前記サーバーによって管理されている前記設定値を前記サーバーに要求し、前記ログイン手段によって実行されたログインの処理の結果が前記サーバーから返信された前記画像形成装置に、前記サーバーから取得した前記設定値で前記コピー機能を実行させることを特徴とする請求項１に記載の画像形成システム。
【請求項３】
前記特定の機能は、前記画像形成装置によって原稿から読み取られた画像データを特定の宛先に送信する読取送信機能を含み、
前記機能実行手段は、前記読取送信機能用の前記特定機能実行ボタンとしての読取送信ボタンが前記操作部を介して押されると、ログインの処理を前記サーバーに依頼し、ログインの成功が前記サーバーから返信されると、前記読取送信ボタンに関連付けて前記サーバーによって管理されている前記設定値を前記サーバーに要求し、前記ログイン手段によって実行されたログインの処理の結果が前記サーバーから返信された前記画像形成装置に、前記サーバーから取得した前記設定値で原稿から画像データを読み取らせ、前記画像形成装置に原稿から読み取らせた画像データを前記読取送信ボタンの識別情報に関連付けて前記サーバー宛に前記画像形成装置に送信させ、
前記サーバーは、前記画像形成装置から送信されて来た画像データを、この画像データに関連付けられて送信されて来た識別情報によって特定される前記読取送信ボタンに関連付けて管理している前記設定値における宛先に送信することを特徴とする請求項１に記載の画像形成システム。
【請求項４】
前記特定の機能は、前記ログイン手段によって実行されたログインが成功した利用者に対して前記サーバーによって管理されている印刷データを前記画像形成装置によって印刷するプルプリント機能を含み、
前記サーバーは、プルプリント用の印刷データを利用者毎に管理し、
前記機能実行手段は、前記プルプリント機能用の前記特定機能実行ボタンとしてのプルプリントボタンが前記操作部を介して押されると、ログインの処理を前記サーバーに依頼し、ログインの成功が前記サーバーから返信されると、前記ログイン手段によって実行されたログインが成功した利用者のプルプリント用の印刷データのリストを前記サーバーに要求し、
前記操作画面表示手段は、前記ログイン手段によって実行されたログインが成功した利用者に対して前記サーバーによって管理されている印刷データを選択させるための前記操作画面としての印刷データ選択用操作画面を、前記機能実行手段による要求に応じて前記サーバーから返信されたリストに基づいて前記表示部に表示し、
前記機能実行手段は、前記ログイン手段によって実行されたログインの処理の結果が前記サーバーから返信された前記画像形成装置に、前記印刷データ選択用操作画面に表示されている印刷データのうち前記操作部を介して選択された印刷データを送信することを前記サーバーに指示し、
前記画像形成装置は、前記サーバーから送信された印刷データに基づいた印刷を実行することを特徴とする請求項１に記載の画像形成システム。
【発明の詳細な説明】
【技術分野】
【０００１】
本発明は、画像形成装置を利用した機能を実行する携帯機器、画像形成システムおよび機能拡張プログラムに関する。
【背景技術】
【０００２】
従来、画像形成装置を利用した機能を実行する画像形成システムとして、画像形成装置における画面表示に使用する画面データから携帯機器用の操作画面をサーバーによって生成し、生成した操作画面を携帯機器に表示させるものが知られている（例えば、特許文献１参照。）。
【先行技術文献】
【特許文献】
【０００３】
【特許文献１】特開２０１１−２３８００６号公報
【発明の概要】
【発明が解決しようとする課題】
【０００４】
しかしながら、従来の画像形成システムにおいては、画像形成装置が備えている機能を携帯機器から画像形成装置を利用して実行することができるが、画像形成装置が備えていない機能を実行することはできないという問題がある。
【０００５】
そこで、本発明は、画像形成装置の機能を拡張することができる画像形成システムを提供することを目的とする。
【課題を解決するための手段】
【０００６】
本発明の携帯機器は、操作部および表示部と、画像形成装置を操作するための操作画面を前記表示部に表示する操作画面表示手段と、前記画像形成装置が単独で実行可能な機能以外の機能であって前記画像形成装置を利用して実行する特定の機能を実行可能な機能実行手段とを備え、前記機能実行手段は、前記表示部に表示された前記操作画面の操作部分に対する前記操作部を介した操作に応じた前記特定の機能を実行することを特徴とする。
【０００７】
この構成により、本発明の携帯機器は、画像形成装置が単独で実行可能な機能以外の機能であって画像形成装置を利用して実行する特定の機能を、表示部に表示された操作画面の操作部分に対する操作部を介した操作に応じて実行するので、画像形成装置の機能を拡張することができる。
【０００８】
本発明の画像形成システムは、上述の携帯機器と、前記操作部分に関連付けて前記特定の機能の設定値を管理するサーバーとを備え、前記機能実行手段は、前記操作部分に対する前記操作部を介した操作に応じて前記サーバーから取得した前記設定値で前記画像形成装置に前記特定の機能を実行させることを特徴とする。
【０００９】
この構成により、本発明の画像形成システムは、事前に設定された設定値で画像形成装置に特定の機能を実行させるので、利便性を向上することができる。
【００１０】
また、本発明の画像形成システムにおいて、前記特定の機能は、前記画像形成装置によって原稿から読み取られた画像データを特定の宛先に送信する読取送信機能を含み、前記機能実行手段は、前記読取送信機能を実行する場合、前記操作部分に対する前記操作部を介した操作に応じて前記サーバーから取得した前記設定値のうち原稿の読み取り設定値で前記画像形成装置に画像データを読み取らせ、前記画像形成装置に読み取らせた画像データを前記操作部分の識別情報に関連付けて前記サーバー宛に前記画像形成装置に送信させ、前記サーバーは、前記画像形成装置から送信されて来た画像データを、この画像データに関連付けられて送信されて来た識別情報によって特定される前記操作部分に関連付けて管理している前記設定値における宛先に送信しても良い。
【００１１】
この構成により、本発明の画像形成システムは、読取送信機能のうち送信をサーバーに実行させるので、画像形成装置が対応していない送信方法の宛先に送信することができる。
【００１２】
本発明の画像形成システムは、上述の携帯機器と、前記操作画面を利用者毎に管理するサーバーとを備え、前記携帯機器は、前記サーバーへの利用者のログインを実行するログイン手段を備え、前記操作画面表示手段は、前記ログイン手段によって実行されたログインが成功した利用者に対して前記サーバーによって管理されている前記操作画面を前記表示部に表示することを特徴とする。
【００１３】
この構成により、本発明の画像形成システムは、携帯機器の表示部に表示させる操作画面を利用者毎に変えることができるので、利便性を向上することができる。
【００１４】
本発明の画像形成システムは、上述の携帯機器と、印刷データを利用者毎に管理するサーバーとを備え、前記携帯機器は、前記サーバーへの利用者のログインを実行するログイン手段を備え、前記特定の機能は、前記ログイン手段によって実行されたログインが成功した利用者に対して前記サーバーによって管理されている印刷データを前記画像形成装置によって印刷するプルプリント機能を含み、前記操作画面表示手段は、前記ログイン手段によって実行されたログインが成功した利用者に対して前記サーバーによって管理されている印刷データを選択させるための前記操作画面を前記表示部に表示し、前記機能実行手段は、前記プルプリント機能を実行する場合、前記操作画面に表示されている印刷データのうち前記操作部を介して選択された印刷データを前記画像形成装置に送信することを前記サーバーに指示することを特徴とする。
【００１５】
この構成により、本発明の画像形成システムは、サーバーによって管理されている印刷データのうち選択された印刷データを印刷するプルプリント機能に対応していない画像形成装置を利用して、サーバーによって管理されている印刷データのうち選択された印刷データを印刷することができる。
【００１６】
本発明の機能拡張プログラムは、操作部および表示部を備える携帯機器を、画像形成装置を操作するための操作画面を前記表示部に表示する操作画面表示手段、および、前記画像形成装置が単独で実行可能な機能以外の機能であって前記画像形成装置を利用して実行する特定の機能を実行可能な機能実行手段として機能させ、前記機能実行手段は、前記表示部に表示された前記操作画面の操作部分に対する前記操作部を介した操作に応じた前記特定の機能を実行することを特徴とする。
【００１７】
この構成により、本発明の機能拡張プログラムは、画像形成装置が単独で実行可能な機能以外の機能であって画像形成装置を利用して実行する特定の機能を、表示部に表示された操作画面の操作部分に対する操作部を介した操作に応じて実行するので、画像形成装置の機能を拡張することができる。
【発明の効果】
【００１８】
本発明の画像形成システムは、画像形成装置の機能を拡張することができる。
【図面の簡単な説明】
【００１９】
【図１】本発明の一実施の形態に係る画像形成システムのブロック図である。
【図２】図１に示す画像形成装置のブロック図である。
【図３】図１に示すサーバーのブロック図である。
【図４】図１に示す携帯機器のブロック図である。
【図５】画像形成装置を介してサーバーにログインする場合の図１に示す画像形成システムの動作のシーケンス図である。
【図６】図４に示す表示部に表示される操作画面の一例を示す図である。
【図７】簡単コピーボタンが押された場合の図１に示す画像形成システムの動作のシーケンス図である。
【図８】簡単スキャンボタンが押された場合の図１に示す画像形成システムの動作のシーケンス図である。
【図９】プルプリントボタンが押された場合の図１に示す画像形成システムの動作のシーケンス図である。
【図１０】図４に示す表示部に表示される操作画面の一例であって、図６に示す例とは異なる例を示す図である。
【発明を実施するための形態】
【００２０】
以下、本発明の一実施の形態について、図面を用いて説明する。
【００２１】
まず、本実施の形態に係る画像形成システムの構成について説明する。
【００２２】
図１は、本実施の形態に係る画像形成システム１０のブロック図である。
【００２３】
図１に示すように、画像形成システム１０は、印刷データを生成するＰＣ（Ｐｅｒｓｏｎａｌ  Ｃｏｍｐｕｔｅｒ）などのコンピューター２０と、印刷データに基づいた印刷ジョブを実行する画像形成装置３０と、画像形成装置３０用の操作画面を利用者毎に管理するサーバー４０と、利用者によって携帯されている携帯機器５０とを備えている。
【００２４】
なお、画像形成システム１０は、コンピューター２０以外にも多数のコンピューターを備えることが可能であるが、理解を容易にするために、以下においてはコンピューター２０以外のコンピューターについての説明を省略する。同様に、画像形成システム１０は、画像形成装置３０以外にも多数の画像形成装置を備えることが可能であるが、理解を容易にするために、以下においては画像形成装置３０以外の画像形成装置についての説明を省略する。同様に、画像形成システム１０は、携帯機器５０以外にも多数の携帯機器を備えることが可能であるが、理解を容易にするために、以下においては携帯機器５０以外の携帯機器についての説明を省略する。
【００２５】
コンピューター２０と、サーバー４０とは、例えば、ＬＡＮ（Ｌｏｃａｌ  Ａｒｅａ  Ｎｅｔｗｏｒｋ）、インターネットなどのネットワーク１１を介して互いに接続可能である。同様に、画像形成装置３０と、サーバー４０とは、例えば、ＬＡＮ、インターネットなどのネットワーク１１を介して互いに接続可能である。同様に、携帯機器５０と、サーバー４０とは、例えば、ＬＡＮ、インターネットなどのネットワーク１１を介して互いに接続可能である。
【００２６】
画像形成装置３０と、携帯機器５０とは、ＮＦＣ（Ｎｅａｒ  Ｆｉｅｌｄ  Ｃｏｍｍｕｎｉｃａｔｉｏｎ）などの近距離無線通信によって互いに接続可能である。また、画像形成装置３０と、携帯機器５０とは、例えば、ＬＡＮ、インターネットなどのネットワーク１１を介しても互いに接続可能である。
【００２７】
画像形成装置３０は、例えば、ＭＦＰ（Ｍｕｌｔｉｆｕｎｃｔｉｏｎ  Ｐｅｒｉｐｈｅｒａｌ）やプリンター専用機である。
【００２８】
サーバー４０は、ＰＣなどの１台以上のコンピューターによって構成されている。
【００２９】
携帯機器５０は、例えば、スマートフォンやタブレットである。
【００３０】
図２は、画像形成装置３０のブロック図である。
【００３１】
図２に示すように、画像形成装置３０は、利用者による種々の操作が入力されるボタンなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、原稿から画像データを読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を行うファックスデバイスであるファックス通信部３５と、ネットワーク１１経由で外部の装置と通信を行う通信デバイスである通信部３６と、近距離無線通信を行う通信デバイスである近距離無線通信部３７と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部３８と、画像形成装置３０全体を制御する制御部３９とを備えている。
【００３２】
制御部３９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３８に記憶されているプログラムを実行する。
【００３３】
図３は、サーバー４０のブロック図である。
【００３４】
図３に示すように、サーバー４０は、利用者による種々の操作が入力されるキーボード、マウスなどの入力デバイスである操作部４１と、種々の情報を表示するＬＣＤなどの表示デバイスである表示部４２と、外部の装置と通信を行う通信デバイスである通信部４３と、各種のデータを記憶しているＨＤＤなどの記憶デバイスである記憶部４４と、サーバー４０全体を制御する制御部４５とを備えている。
【００３５】
記憶部４４は、利用者の認証用の情報を管理するための認証用情報データベース４４ａを記憶している。
【００３６】
記憶部４４は、利用者のプロパティーを管理するためのプロパティーデータベース４４ｂを記憶している。例えば、利用者のプロパティーには、画像形成装置３０の表示部３２における利用者の表示名と、利用者の電子メールアドレスと、例えばサーバー４０における利用者用のフォルダーのパスとが含まれる。ここで、電子メールアドレスと、フォルダーのパスとは、例えば、画像形成装置３０のスキャナー３３によって読み取られた画像の送信先の候補の１つとして使用される。
【００３７】
記憶部４４は、画像形成装置に対する利用者の権限の情報（以下「権限情報」と言う。）を管理するための権限情報データベース４４ｃを記憶している。例えば、権限情報には、画像形成装置３０の外部から画像形成装置３０に入力された印刷データに基づいてプリンター３４によって印刷するためのプリント権限と、スキャナー３３によって読み取られた画像データに基づいてプリンター３４によって印刷するためのコピー権限と、スキャナー３３によって読み取られた画像データを画像形成装置３０の外部に送信するための送信権限と、スキャナー３３によって読み取られた画像データを記憶部３８に蓄積するための蓄積権限と、スキャナー３３によって読み取られた画像データを図示していないＵＳＢ（Ｕｎｉｖｅｒｓａｌ  Ｓｅｒｉａｌ  Ｂｕｓ）メモリーに蓄積するためのＵＳＢ蓄積権限と、スキャナー３３によって読み取られた画像データをファックス通信部３５を介してファックス送信するためのＦＡＸ権限とに対するそれぞれの有無が含まれている。
【００３８】
記憶部４４は、画像形成装置に関して利用者に許可されている各種の数量の情報（以下「許可数情報」と言う。）を管理するための許可数情報データベース４４ｄを記憶している。例えば、許可数情報には、画像形成装置３０の外部から画像形成装置３０に入力された印刷データに基づいてプリンター３４によってモノクロ印刷することが許可されているページ数としてのモノクロ印刷許可数と、画像形成装置３０の外部から画像形成装置３０に入力された印刷データに基づいてプリンター３４によってカラー印刷することが許可されているページ数としてのカラー印刷許可数と、スキャナー３３によって読み取られた画像データに基づいてプリンター３４によってモノクロ印刷することが許可されているページ数としてのモノクロコピー許可数と、スキャナー３３によって読み取られた画像データに基づいてプリンター３４によってカラー印刷することが許可されているページ数としてのカラーコピー許可数とが含まれている。
【００３９】
記憶部４４は、プルプリント用の印刷データ４４ｅを利用者毎に記憶することができる。印刷データ４４ｅは、コンピューター２０によって送信されて来たものである。
【００４０】
記憶部４４は、画像形成装置３０用の操作画面を管理するための操作画面データベース４４ｆを記憶している。操作画面データベース４４ｆは、画像形成装置３０用の操作画面を利用者毎に管理している。
【００４１】
制御部４５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４４に記憶されているプログラムを実行する。
【００４２】
図４は、携帯機器５０のブロック図である。
【００４３】
図４に示すように、携帯機器５０は、利用者による種々の操作が入力されるボタンなどの入力デバイスである操作部５１と、種々の情報を表示するＬＣＤなどの表示デバイスである表示部５２と、外部の装置と移動体通信を行う通信デバイスである移動体通信部５３と、近距離無線通信を行う通信デバイスである近距離無線通信部５４と、ＩＤカードからカード情報を読み取るＩＤカードリーダー５５と、各種のデータを記憶しているＨＤＤなどの記憶デバイスである記憶部５６と、携帯機器５０全体を制御する制御部５７とを備えている。
【００４４】
記憶部５６は、画像形成装置３０の機能を拡張するための機能拡張プログラム５６ａを記憶している。機能拡張プログラム５６ａは、携帯機器５０の製造段階で携帯機器５０にインストールされていても良いし、ＳＤカードなどの記憶媒体から携帯機器５０に追加でインストールされても良いし、ネットワーク１１から携帯機器５０に追加でインストールされても良い。
【００４５】
制御部５７は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部５６に記憶されているプログラムを実行する。
【００４６】
制御部５７は、記憶部５６に記憶されている機能拡張プログラム５６ａを実行することによって、サーバー４０（図１参照。）への利用者のログインを実行するログイン手段５７ａ、画像形成装置３０を操作するための操作画面を表示部５２に表示する操作画面表示手段５７ｂ、および、画像形成装置３０が単独で実行可能な機能以外の機能であって画像形成装置３０を利用して実行する特定の機能を実行可能な機能実行手段５７ｃとして機能する。
【００４７】
次に、画像形成システム１０の動作について説明する。
【００４８】
まず、画像形成装置３０を介してサーバー４０にログインする場合の画像形成システム１０の動作について説明する。
【００４９】
図５は、画像形成装置３０を介してサーバー４０にログインする場合の画像形成システム１０の動作のシーケンス図である。
【００５０】
図５に示すように、画像形成装置３０を介したサーバー４０へのログインを利用者が携帯機器５０の操作部５１を介して携帯機器５０に指示すると、携帯機器５０のログイン手段５７ａは、サーバー４０への利用者のログインを移動体通信部５３または近距離無線通信部５４を介して画像形成装置３０に指示する（Ｓ１０１）。ここで、ログインの指示には、利用者の認証用の情報が含まれる。利用者の認証用の情報としては、任意の情報が採用されることができる。例えば、利用者の認証用の情報は、利用者の識別情報と、パスワードとの組み合わせであっても良いし、ＩＤカードリーダー５５によってＩＤカードから読み取られたカード情報であっても良い。画像形成システム１０は、画像形成装置３０がＩＤカードリーダーを備えていなくても、ＩＤカードリーダー５５によってＩＤカードから読み取られたカード情報に基づいたログインを可能にすることができる。
【００５１】
画像形成装置３０の制御部３９は、Ｓ１０１の処理の後、Ｓ１０１において指示されたログインの処理をサーバー４０に依頼する（Ｓ１０２）。したがって、サーバー４０の制御部４５は、画像形成装置３０から送信されてきた認証用の情報が認証用情報データベース４４ａに含まれる場合に、利用者のログインを許可する。一方、制御部４５は、画像形成装置３０から送信されてきた認証用の情報が認証用情報データベース４４ａに含まれない場合に、利用者のログインを許可しない。
【００５２】
そして、サーバー４０の制御部４５は、ログイン処理の結果を画像形成装置３０に返信する（Ｓ１０３）。ここで、制御部４５は、利用者のログインが成功した場合、すなわち、利用者のログインを許可した場合、この利用者のプロパティー、権限情報および許可数情報をそれぞれプロパティーデータベース４４ｂ、権限情報データベース４４ｃおよび許可数情報データベース４４ｄから取得して、ログイン処理の結果とともに画像形成装置３０に送信する。したがって、画像形成装置３０の制御部３９は、プロパティーを使用した機能の利用を可能にするとともに、権限情報および許可数情報に応じた機能の利用の制限を実行する。
【００５３】
なお、携帯機器５０の操作画面表示手段５７ｂは、ログインが実行されると、図６に示すような操作画面６０を表示部５２に表示する。
【００５４】
図６は、操作画面６０の一例を示す図である。
【００５５】
図６に示す操作画面６０は、事前に設定された設定値に応じたコピーを実行するための簡単コピーボタン６１と、事前に設定された設定値に応じたスキャンを実行するための簡単スキャンボタン６２と、プルプリントを実行するためのプルプリントボタン６３とを含んでいる。
【００５６】
操作画面６０は、ボタンの追加、ボタンの削除、ボタンに対応付けられている機能の変更、ボタンの配置の変更など、任意にカスタマイズされることが可能である。
【００５７】
操作画面表示手段５７ｂは、携帯機器５０の記憶部５６に記憶されている操作画面６０を表示部５２に表示しても良い。また、操作画面表示手段５７ｂは、ログイン手段５７ａによってサーバー４０にログインすることによって、ログインが成功した利用者に対してサーバー４０の操作画面データベース４４ｆにおいて管理されている操作画面６０を表示部５２に表示しても良い。
【００５８】
図７は、簡単コピーボタン６１が押された場合の画像形成システム１０の動作のシーケンス図である。
【００５９】
図７に示すように、携帯機器５０の機能実行手段５７ｃは、操作画面６０の操作部分としての簡単コピーボタン６１が操作部５１を介して押されると、ログインの処理をサーバー４０に依頼する（Ｓ１２１）。したがって、サーバー４０の制御部４５は、ログイン処理を実行して、ログイン処理の結果を携帯機器５０に返信する（Ｓ１２２）。
【００６０】
携帯機器５０の機能実行手段５７ｃは、ログインの成功がＳ１２２において返信されて来ると、簡単コピーボタン６１に関連付けてサーバー４０によって管理されているコピーの設定値を、サーバー４０に要求する（Ｓ１２３）。したがって、サーバー４０の制御部４５は、簡単コピーボタン６１に関連付けて管理しているコピーの設定値を携帯機器５０に返信する（Ｓ１２４）。ここで、コピーの設定値としては、スキャナー３３による読み取りの解像度、プリンター３４による印刷の色など様々な設定値が存在する。
【００６１】
そして、携帯機器５０の機能実行手段５７ｃは、サーバー４０から送信されて来た設定値でのコピーを、利用者がログイン中の画像形成装置３０に指示する（Ｓ１２５）。したがって、画像形成装置３０の制御部３９は、携帯機器５０から送信されて来た設定値でコピーを実行する。
【００６２】
図８は、簡単スキャンボタン６２が押された場合の画像形成システム１０の動作のシーケンス図である。
【００６３】
図８に示すように、携帯機器５０の機能実行手段５７ｃは、操作画面６０の操作部分としての簡単スキャンボタン６２が操作部５１を介して押されると、ログインの処理をサーバー４０に依頼する（Ｓ１３１）。したがって、サーバー４０の制御部４５は、ログイン処理を実行して、ログイン処理の結果を携帯機器５０に返信する（Ｓ１３２）。
【００６４】
携帯機器５０の機能実行手段５７ｃは、ログインの成功がＳ１３２において返信されて来ると、簡単スキャンボタン６２に関連付けてサーバー４０によって管理されているスキャンの設定値を、サーバー４０に要求する（Ｓ１３３）。したがって、サーバー４０の制御部４５は、簡単スキャンボタン６２に関連付けて管理しているスキャンの設定値を携帯機器５０に返信する（Ｓ１３４）。ここで、スキャンの設定値としては、スキャナー３３による読み取りの解像度など様々な設定値が存在する。
【００６５】
そして、携帯機器５０の機能実行手段５７ｃは、サーバー４０から送信されて来た設定値でのスキャンを、利用者がログイン中の画像形成装置３０に指示する（Ｓ１３５）。したがって、画像形成装置３０の制御部３９は、携帯機器５０から送信されて来た設定値でスキャンを実行する。
【００６６】
なお、携帯機器５０の機能実行手段５７ｃは、画像形成装置３０に読み取らせた画像データ、すなわち、スキャンデータを簡単スキャンボタン６２の識別情報、すなわち、ボタンＩＤに関連付けてサーバー４０宛に画像形成装置３０に送信させる（Ｓ１３６）。ここで、スキャンデータをボタンＩＤに関連付ける方法としては、例えば、スキャンデータのファイル名にボタンＩＤを含める方法や、スキャンデータのメタデータとしてボタンＩＤを付与する方法が存在する。
【００６７】
サーバー４０の制御部４５は、Ｓ１３６において画像形成装置３０からスキャンデータが送信されて来ると、画像形成装置３０から送信されて来たスキャンデータに関連付けられて送信されて来たボタンＩＤによって特定される簡単スキャンボタン６２に関連付けて管理している設定値における宛先を検索し（Ｓ１３７）、検索した宛先にスキャンデータを送信する（Ｓ１３８）。
【００６８】
図９は、プルプリントボタン６３が押された場合の画像形成システム１０の動作のシーケンス図である。
【００６９】
図９に示すように、携帯機器５０のログイン手段５７ａは、操作画面６０の操作部分としてのプルプリントボタン６３が操作部５１を介して押されると、ログインの処理をサーバー４０に依頼する（Ｓ１４１）。したがって、サーバー４０の制御部４５は、ログイン処理を実行して、ログイン処理の結果を携帯機器５０に返信する（Ｓ１４２）。
【００７０】
携帯機器５０の機能実行手段５７ｃは、ログインの成功がＳ１４２において返信されて来ると、プルプリント用の印刷データのリストをサーバー４０に要求する（Ｓ１４３）。したがって、サーバー４０の制御部４５は、記憶部４４に管理している印刷データ４４ｅのうち、ログインが成功した利用者の印刷データのリストを携帯機器５０に返信する（Ｓ１４４）。
【００７１】
携帯機器５０の操作画面表示手段５７ｂは、Ｓ１４４においてリストが返信されて来ると、リストに基づいて図１０に示す操作画面７０を表示部５２に表示する。したがって、利用者は、操作画面７０に表示されている印刷データの中から、プルプリントさせる印刷データを操作部５１を介して指定することができる。
【００７２】
携帯機器５０の機能実行手段５７ｃは、プルプリントさせる印刷データが操作部５１を介して指定されると、指定された印刷データの識別情報をサーバー４０に通知する（Ｓ１４５）。したがって、サーバー４０の制御部４５は、指定された印刷データを、利用者がログイン中の画像形成装置３０に送信し（Ｓ１４６）、この印刷データに基づいた印刷を画像形成装置３０に実行させる。
【００７３】
以上に説明したように、画像形成システム１０は、画像形成装置３０が単独で実行可能な機能以外の機能であって画像形成装置３０を利用して実行する特定の機能を、携帯機器５０の表示部５２に表示された操作画面６０の操作部分に対する携帯機器５０の操作部５１を介した操作に応じて実行するので、画像形成装置３０の機能を拡張することができる。
【００７４】
例えば、画像形成装置３０は、事前に設定された設定値でのコピーをボタン１つの操作で行う機能を、性能が低い機種であるなどの理由によって単独で実行不可能である場合がある。しかしながら、画像形成システム１０は、そのような場合であっても、携帯機器５０の表示部５２に表示された操作画面６０の簡単コピーボタン６１に対する携帯機器５０の操作部５１を介した操作によって、画像形成装置３０を利用してそのような機能を実行することができ、利便性を向上することができる。
【００７５】
また、画像形成装置３０は、事前に設定された設定値でのスキャンをボタン１つの操作で行う機能を、性能が低い機種であるなどの理由によって単独で実行不可能である場合がある。しかしながら、画像形成システム１０は、そのような場合であっても、携帯機器５０の表示部５２に表示された操作画面６０の簡単スキャンボタン６２に対する携帯機器５０の操作部５１を介した操作によって、画像形成装置３０を利用してそのような機能を実行することができ、利便性を向上することができる。
【００７６】
特に、簡単スキャンボタン６２に対する携帯機器５０の操作部５１を介した操作によって実行される機能が、画像形成装置３０によって原稿から読み取られた画像データを特定の宛先に送信する読取送信機能である場合には、画像形成システム１０は、読取送信機能のうち送信をサーバー４０に実行させるようにすることによって、画像形成装置３０が対応していない送信方法の宛先に送信することができる。例えば、画像形成装置３０が電子メールでの送信に対応していない場合であっても、画像形成システム１０は、画像形成装置３０によって原稿から読み取られた画像データをサーバー４０によって電子メールドレスに送信することができる。
【００７７】
また、画像形成装置３０は、ログインが成功した利用者に対してサーバー４０によって管理されている印刷データのうち利用者によって選択された印刷データを画像形成装置３０によって印刷するプルプリント機能を、性能が低い機種であるなどの理由によって単独で実行不可能である場合がある。しかしながら、画像形成システム１０は、そのような場合であっても、携帯機器５０の表示部５２に表示された操作画面６０のプルプリントボタン６３に対する携帯機器５０の操作部５１を介した操作によって、画像形成装置３０を利用してそのような機能を実行することができ、利便性を向上することができる。
【００７８】
なお、画像形成システム１０は、以上において説明した機能以外の機能を実行することができても良い。例えば、画像形成システム１０は、操作画面６０を介して許可数情報データベース４４ｄの許可数を増加させることができても良い。
【００７９】
画像形成システム１０は、携帯機器５０の表示部５２に表示させる操作画面６０を利用者毎に変えることができるので、利便性を向上することができる。
【符号の説明】
【００８０】
１０  画像形成システム
３０  画像形成装置
４０  サーバー
５０  携帯機器
５１  操作部
５２  表示部
５６ａ  機能拡張プログラム
５７ａ  ログイン手段
５７ｂ  操作画面表示手段
５７ｃ  機能実行手段
６０  操作画面
６１  簡単コピーボタン（操作部分）
６２  簡単スキャンボタン（操作部分）
６３  プルプリントボタン（操作部分）
７０  操作画面
【図１】
0006319584.tif 000002
【図２】
0006319584.tif 000003
【図３】
0006319584.tif 000004
【図４】
0006319584.tif 000005
【図５】
0006319584.tif 000006
【図６】
0006319584.tif 000007
【図７】
0006319584.tif 000008
【図８】
0006319584.tif 000009
【図９】
0006319584.tif 000010
【図１０】
0006319584.tif 000011